(57)【要約】      （修正有）【課題】構造の配置がモータの回転軸の方向に規制されず、充電時に電気コードが不要で見栄えが綺麗に保持できる電磁式手持ち按摩器を提供する。【解決手段】ケース１０と、按摩ヘッド８０と、ケース内部に収容される電気制御ユニット２０、コイル３２、揺動具４０及び充電磁気誘導コイル９０とを含む。揺動具４０は、二つの磁石４３が設けられる揺動部４１に駆動軸４２を固定して構成され、按摩ヘッド８０は駆動軸４２と連接する。充電磁気誘導コイル９０は、電気制御ユニット２０の電力供給装置２３と電気的に接続し、ケースの底部に設けられる。【選択図】図２
0003177147.tif 000002
【実用新案登録請求の範囲】
【請求項１】
内部に電磁コイルを有する充電台に合せて使用可能である電磁式手持ち按摩器において、
収容空間と、貫通孔と、を有するケースと、
制御パネルと、回路板と、電力供給装置と、を備え、前記制御パネルは、前記ケースに固定され、前記ケースから外部に露呈し、前記回路板は、前記ケースの内部に設けられ、前記制御パネルの位置に対応し、前記電力供給装置は前記回路板と電気的に接続する電気制御ユニットと、
前記電力供給装置と電気的に接続し、前記ケースの内部に収容されるコイルと、
前記ケースの前記収容空間に収容され、揺動部に駆動軸を固定して構成され、前記揺動部には、更に、二つの磁石が設けられ、前記駆動軸は前記貫通孔を挿通し、前記揺動部の各前記磁石が前記コイルに対応する揺動具と、
前記駆動軸と連接し、その一面に按摩突起が複数設けられる按摩ヘッドと、
前記ケースの前記収容空間の内部に固定され、前記電力供給装置と電気的に接続する充電磁気誘導コイルと、
を含むことを特徴とする電磁式手持ち按摩器。
【請求項２】
前記充電磁気誘導コイルは、前記ケースの底部に設けられることを特徴とする、請求項１に記載の電磁式手持ち按摩器。
【請求項３】
前記ケースは、主体上ケースと主体下ケースとを合せて構成され、前記主体上ケースと前記主体下ケースとを合せて前記収容空間が形成され、前記貫通孔は前記主体上ケースに設けられることを特徴とする、請求項１に記載の電磁式手持ち按摩器。
【請求項４】
前記ケースの内部に支持枠が設けられ、前記コイルがケイ素鋼板製素子に巻き付けられてコイルモジュールを構成し、前記コイルモジュールは前記支持枠に収容されることを特徴とする、請求項１に記載の電磁式手持ち按摩器。
【請求項５】
更に、定位具を含み、前記定位具は、前記コイルモジュールを覆い、前記ケースに固定されることを特徴とする、請求項４に記載の電磁式手持ち按摩器。
【請求項６】
前記ケイ素鋼板製素子はＥ字形を呈することを特徴とする、請求項４に記載の電磁式手持ち按摩器。
【請求項７】
更に、係りリングを含み、前記係りリングは、一面に駆動部が成形され、他面に嵌め溝が設けられ、前記駆動部は円柱状を呈せず、前記嵌め溝は前記駆動軸の輪郭に対応するように成形され、前記係りリングの前記嵌め溝は、前記駆動軸に嵌め設けられて、前記駆動軸と同期に回転し、前記按摩ヘッドの一面に連接部が成形され、前記連接部は連接窪みを有し、前記連接窪みは、前記係りリングの前記駆動部の輪郭に対応するように成形され、前記連接部の前記連接窪みにより、前記按摩ヘッドが前記駆動部に連接されることを特徴とする、請求項１に記載の電磁式手持ち按摩器。
【請求項８】
前記駆動軸は、半円形の断面形状を有する柱体であり、前記係りリングの前記駆動部は、六角形の断面形状を有する柱体であり、前記連接窪みは、六角形の断面形状を有する窪みであることを特徴とする、請求項７に記載の電磁式手持ち按摩器。
【請求項９】
前記係りリングの内周縁には、更に、係止縁が成形され、前記按摩ヘッドには、前記連接部を囲む定位用フック部が複数成形され、各前記定位用フック部が前記係りリングの前記係止縁を係止し、これにより、前記按摩ヘッドと前記係りリングとは連接して同期に回転可能であることを特徴とする、請求項７に記載の電磁式手持ち按摩器。
【請求項１０】
前記ケースの前記主体上ケースの前記収容空間から遠ざかった一面に収容窪みが設けられ、前記貫通孔が前記収容窪みを貫通し、前記収容窪みの内周面には、複数の第１の当接凸部と、複数の第２の当接凸部と、が設けられ、前記収容窪み内には、更に、弾性付きワッシャが設けられ、前記弾性付きワッシャは、弾性付きワッシャ貫通孔を有し、前記収容窪みの底部と前記第１の当接凸部との間に位置し、前記駆動軸が前記弾性付きワッシャ貫通孔を挿通し、前記係りリングが前記弾性付きワッシャに隣接し、
更に、按摩ヘッド台を含み、前記按摩ヘッド台は、通過用穴と、当接縁と、を有し、前記按摩ヘッド台の外周縁に斜め穴が複数設けられ、前記按摩ヘッド台の前記斜め穴は各前記第２の当接凸部に対応し、各前記斜め穴が各前記第２の当接凸部に嵌められると、前記按摩ヘッド台が前記係りリングに隣接して、前記係りリングの前記駆動部は、前記通過用穴を挿通して前記按摩ヘッドと結合することを特徴とする、請求項７に記載の電磁式手持ち按摩器。
【考案の詳細な説明】
【技術分野】
【０００１】
本考案は、電磁式手持ち按摩器に関し、特に、手持ち按摩器の駆動構造に関するものである。
【背景技術】
【０００２】
一般的な按摩器の按摩動作は、按摩ヘッドの回転によりユーザを按摩する。按摩ヘッドを駆動する動力源は、モータを採用することが一般的である。しかし、按摩器の種類は色々あり、体積がより小さい手持ち式按摩器が多くのユーザに愛用されている。一般的な手持ち式按摩器は、モータの回転軸により按摩ヘッドを直接に駆動して回転させる。モータは回転軸を中心として回転するため、手持ち式按摩器の構造の配置及び体積は、上記のような構造により規制され、すなわち、構造の配置の自由度は高くない。
【０００３】
一方、一般的な按摩器は、電気コードを介して市電を使用するため、その利用が電気コードの長さとコンセントの位置とに規制され、極めて不便である。上記の問題を解決するために、充電式の按摩器が開発された。このような充電式の按摩器は、充電するときに、按摩器が専用の電気コードを介して充電台と電気的に接続することが必要であるため、電気コードにより全体の見栄えが悪くなる問題があった。
【考案の概要】
【考案が解決しようとする課題】
【０００４】
本考案の主な目的は、構造の配置がモータの回転軸の方向に規制されず、充電しても、全体の見栄えを綺麗に保持できる電磁式手持ち按摩器を提供することにある。
【課題を解決するための手段】
【０００５】
本考案の電磁式手持ち按摩器によると、内部に電磁コイルを有する充電台に合せて使用可能である電磁式手持ち按摩器において、
収容空間と、貫通孔と、を有するケースと、
制御パネルと、回路板と、電力供給装置と、を備え、制御パネルは、ケースに固定され、ケースから外部に露呈し、回路板は、ケースの内部に設けられ、制御パネルの位置に対応し、電力供給装置は回路板と電気的に接続する電気制御ユニットと、
電力供給装置と電気的に接続し、ケースの内部に収容されるコイルと、
ケースの収容空間に収容され、揺動部に駆動軸を固定して構成され、揺動部には、更に、二つの磁石が設けられ、駆動軸は貫通孔を挿通し、揺動部の各磁石がコイルに対応する揺動具と、
駆動軸と連接し、その一面に按摩突起が複数設けられる按摩ヘッドと、
ケースの収容空間の内部に固定され、電力供給装置と電気的に接続する充電磁気誘導コイルと、
を含むことを特徴とする。
【０００６】
本考案の電磁式手持ち按摩器によると、充電磁気誘導コイルは、ケースの底部に設けられることを特徴とする。
【０００７】
本考案の電磁式手持ち按摩器によると、ケースは、主体上ケースと主体下ケースとを合せて構成され、主体上ケースと主体下ケースとを合せて収容空間が形成され、貫通孔は主体上ケースに設けられることを特徴とする。
【０００８】
本考案の電磁式手持ち按摩器によると、ケースの内部に支持枠が設けられ、コイルがケイ素鋼板製素子に巻き付けられてコイルモジュールを構成し、コイルモジュールは支持枠に収容されることを特徴とする。
【０００９】
本考案の電磁式手持ち按摩器によると、更に、定位具を含み、定位具は、コイルモジュールを覆い、ケースに固定されることを特徴とする。
【００１０】
本考案の電磁式手持ち按摩器によると、ケイ素鋼板製素子はＥ字形を呈することを特徴とする。
【００１１】
本考案の電磁式手持ち按摩器によると、更に、係りリングを含み、係りリングは、一面に駆動部が成形され、他面に嵌め溝が設けられ、駆動部は円柱状を呈せず、嵌め溝は駆動軸の輪郭に対応するように成形され、係りリングの嵌め溝は、駆動軸に嵌め設けられて、駆動軸と同期に回転し、按摩ヘッドの一面に連接部が成形され、連接部は連接窪みを有し、連接窪みは、係りリングの駆動部の輪郭に対応するように成形され、連接部の連接窪みにより、按摩ヘッドが駆動部に連接されることを特徴とする。
【００１２】
本考案の電磁式手持ち按摩器によると、駆動軸は、半円形の断面形状を有する柱体であり、係りリングの駆動部は、六角形の断面形状を有する柱体であり、連接窪みは、六角形の断面形状を有する窪みであることを特徴とする。
【００１３】
本考案の電磁式手持ち按摩器によると、係りリングの内周縁には、更に、係止縁が成形され、按摩ヘッドには、連接部を囲む定位用フック部が複数成形され、各定位用フック部が係りリングの係止縁を係止し、これにより、按摩ヘッドと係りリングとは連接して同期に回転可能であることを特徴とする。
【００１４】
本考案の電磁式手持ち按摩器によると、ケースの主体上ケースの収容空間から遠ざかった一面に収容窪みが設けられ、貫通孔が収容窪みを貫通し、収容窪みの内周面には、複数の第１の当接凸部と、複数の第２の当接凸部と、が設けられ、収容窪み内には、更に、弾性付きワッシャが設けられ、弾性付きワッシャは、弾性付きワッシャ貫通孔を有し、収容窪みの底部と第１の当接凸部との間に位置し、駆動軸が弾性付きワッシャ貫通孔を挿通し、係りリングが弾性付きワッシャに隣接し、
更に、按摩ヘッド台を含み、按摩ヘッド台は、通過用穴と、当接縁と、を有し、按摩ヘッド台の外周縁に斜め穴が複数設けられ、按摩ヘッド台の斜め穴は各第２の当接凸部に対応し、各斜め穴が各第２の当接凸部に嵌められると、按摩ヘッド台が係りリングに隣接して、係りリングの駆動部は、通過用穴を挿通して按摩ヘッドと結合することを特徴とする。
【考案の効果】
【００１５】
本考案の電磁式手持ち按摩器によれば、構造の配置がモータの回転軸の方向に規制されず、充電しても、全体の見栄えを綺麗に保持できるという効果を有する。
【図面の簡単な説明】
【００１６】
【図１】本考案の一実施例の組合済み状態を示す斜視図である。
【図２】本考案の一実施例を示す分解斜視図である。
【図３】本考案の一実施例の組合済み状態を示す縦断面図である。
【図４】本考案の一実施例から主体下ケースを取り外した状態を示す模式図である。
【図５】本考案の一実施例から主体下ケースを取り外した状態を示す模式図であって、揺動具が揺動している。
【図６】本考案の一実施例が充電台に合せて使用する状態を示す模式図である。
【考案を実施するための形態】
【００１７】
以下、本考案の実施の形態を図面に基づいて説明する。
【実施例】
【００１８】
まず、図１乃至図６を参照する。本考案の一実施例の電磁式手持ち按摩器は、内部に電磁コイルＡ１を有する充電台Ａに合せて使用可能であって、ケース１０と、電気制御ユニット２０と、コイルモジュール３０と、揺動具４０と、弾性付きワッシャ５０と、係りリング６０と、按摩ヘッド台７０と、按摩ヘッド８０と、充電磁気誘導コイル９０と、を含む。
【００１９】
ケース１０は、主体上ケース１１と主体下ケース１２とを合せて構成され、主体上ケース１１と主体下ケース１２とを合せて収容空間１３が形成される。主体上ケース１１の収容空間１３から遠ざかった一面に収容窪み１４が設けられる。主体上ケース１１には、収容窪み１４を貫通する貫通孔１１１が設けられる。主体上ケース１１の収容空間１３内に支持枠１１２が設けられる。収容窪み１４の内周面には、複数の第１の当接凸部１４１と、複数の第２の当接凸部１４２と、が設けられる。
【００２０】
電気制御ユニット２０は、制御パネル２１と、回路板２２と、電力供給装置２３と、を備える。制御パネル２１は、ケース１０の主体上ケース１１に固定され、主体上ケース１１から外部に露呈する。回路板２２は、ケース１０の内部に設けられ、制御パネル２１の位置に対応し、これにより、制御パネル２１が回路板２２と接触可能である。電力供給装置２３は回路板２２と電気的に接続する。
【００２１】
コイルモジュール３０は、ケース１０の収容空間１３に収容され、ケイ素鋼板製素子３１と、コイル３２と、を含む。コイル３２はケイ素鋼板製素子３１に巻き付けられてコイルモジュール３０を構成する。本実施例では、ケイ素鋼板製素子３１がＥ字形を呈する。コイルモジュール３０は、主体上ケース１１の支持枠１１２に収容される。定位具３３は、コイルモジュール３０を覆い、ケース１０の主体上ケース１１に固定される。コイル３２は電力供給装置２３と電気的に接続する。
【００２２】
揺動具４０は、揺動部４１に駆動軸４２を固定して構成される。揺動部４１には、更に、二つの磁石４３が設けられる。揺動具４０は、ケース１０の収容空間１３に収容される。揺動具４０の駆動軸４２は貫通孔１１１を挿通し、揺動部４１の各磁石４３がコイルモジュール３０のコイル３２に対応する。駆動軸４２は、半円形の断面形状を有する柱体である。
【００２３】
弾性付きワッシャ５０は、弾性付きワッシャ貫通孔５１を有し、主体上ケース１１の収容窪み１４に収容される。弾性付きワッシャ５０は、収容窪み１４の底部と第１の当接凸部１４１との間に位置する。駆動軸４２は弾性付きワッシャ貫通孔５１を挿通する。弾性付きワッシャ５０は、弾性を有する材料で作製されたものである。
【００２４】
係りリング６０は、一面に駆動部６１が成形され、他面に嵌め溝６２が設けられる。駆動部６１は円柱状を呈せず、嵌め溝６２は駆動軸４２の輪郭に対応して成形される。本実施例では、駆動部６１が六角形の断面形状を有する柱体である。係りリング６０は、収容窪み１４に収容され、弾性付きワッシャ５０に隣接する。係りリング６０の嵌め溝６２は、揺動具４０の駆動軸４２に嵌め設けられて、駆動軸４２と同期に回転する。係りリング６０の内周縁には、更に、係止縁６３が成形される。
【００２５】
按摩ヘッド台７０は、通過用穴７１と、当接縁７２と、を有する。按摩ヘッド台７０の外周縁に斜め穴７３が複数設けられる。斜め穴７３は各第２の当接凸部１４２に対応する。各斜め穴７３が各第２の当接凸部１４２に嵌められると、按摩ヘッド台７０が係りリング６０に隣接して、係りリング６０の駆動部６１が通過用穴７１を挿通する。按摩ヘッド台７０の当接縁７２が主体上ケース１１に対向することにより、按摩ヘッド台７０が規制されて主体上ケース１１の外部に位置する。
【００２６】
按摩ヘッド８０は、一面に按摩突起８１が複数設けられ、他面の中心に連接部８２が成形される。連接部８２は連接窪み８２１を有する。連接窪み８２１は、係りリング６０の駆動部６１の輪郭に対応するように成形される。本実施例では、連接窪み８２１が六角形の断面形状を有する窪みである。按摩ヘッド８０には、連接部８２を囲む定位用フック部８３が複数成形される。按摩ヘッド８０の連接部８２の連接窪み８２１が係りリング６０の駆動部６１を嵌めて、各定位用フック部８３が係りリング６０の係止縁６３を係止することにより、按摩ヘッド８０と係りリング６０とは連接して同期に回転可能である。
【００２７】
充電磁気誘導コイル９０は、ケース１０の収容空間１３内の底部に固定され、電力供給装置２３と電気的に接続する。
【００２８】
次に、本考案の一実施例の電磁式手持ち按摩器の使用方法を説明する。電気制御ユニット２０の制御パネル２１を押圧すると、電力供給装置２３の電流がコイルモジュール３０のコイル３２に供給されて、コイル３２に磁界が発生して、コイル３２に対応する揺動具４０の磁石４３とコイル３２による磁界とが電磁効果を発生する。上記の電磁効果により、揺動具４０の各磁石４３は、コイル３２に接近して離れるという動作が重複に発生し、すなわち、揺動具４０はコイル３２に対して往復に揺動するようになる。
揺動具４０が揺動しているときには、揺動具４０の駆動軸４２が係りリング６０を駆動して、係りリング６０が揺動具４０と同期に揺動する。なお、係りリング６０が按摩ヘッド８０を駆動して同時に揺動できるため、按摩ヘッド８０の揺動により、ユーザを按摩することができる。本考案では、モータを使用せず、按摩ヘッド８０を駆動してユーザを按摩でき、構造の配置がモータの回転軸の方向に規制されないため、構造配置の自由度が高い。
【００２９】
本考案では、主体上ケース１１の収容窪み１４内に弾性付きワッシャ５０が設けられる。平常時に弾性付きワッシャ５０が張って第１の当接凸部１４１に当接する。このように、按摩器が稼動しているときには、按摩ヘッド８０が偏って振っているときに、ケース１０が振動する。弾性付きワッシャ５０により、ケース１０の振動が緩和され、稼動時の騒音を回避できる。
【００３０】
図６を参照する。本考案の一実施例の電磁式手持ち按摩器は、充電台Ａに合せて使用可能である。按摩器を充電したいときには、充電台Ａに按摩器を直接に置いて、充電台Ａに電力を供給し、そうすると、充電台Ａ内にある電磁コイルＡ１とケース１０内にある充電磁気誘導コイル９０とは、電磁効果を発生して充電を行う。本実施例では、充電磁気誘導コイル９０がケース１０の底部に設けられ、これにより、按摩器は立設姿勢で充電を行うことができ、充電磁気誘導コイル９０を設置する位置が規制されない。按摩器の充電磁気誘導コイル９０が充電台Ａの電磁コイルＡ１に対応できれば、充電を行うことができる。すなわち、按摩器と充電台との間に電気コードを設けることが完全に必要ないため、充電しても、全体の見栄えを綺麗に保持できる。
【産業上の利用可能性】
【００３１】
本考案は、按摩器に適用することができる。
【符号の説明】
【００３２】
１０：ケース
１１：主体上ケース
１２：主体下ケース
１３：収容空間
１４：収容窪み
２０：電気制御ユニット
２１：制御パネル
２２：回路板
２３：電力供給装置
３０：コイルモジュール
３１：ケイ素鋼板製素子
３２：コイル
３３：定位具
４０：揺動具
４１：揺動部
４２：駆動軸
４３：磁石
５０：弾性付きワッシャ
５１：弾性付きワッシャ貫通孔
６０：係りリング
６１：駆動部
６２：嵌め溝
６３：係止縁
７０：按摩ヘッド台
７１：通過用穴
７２：当接縁
７３：斜め穴
８０：按摩ヘッド
８１：按摩突起
８２：連接部
８３：定位用フック部
９０：充電磁気誘導コイル
１１１：貫通孔
１１２：支持枠
１４１：第１の当接凸部
１４２：第２の当接凸部
８２１：連接窪み
Ａ：充電台
Ａ１：電磁コイル
【図１】
0003177147.tif 000003
【図２】
0003177147.tif 000004
【図３】
0003177147.tif 000005
【図４】
0003177147.tif 000006
【図５】
0003177147.tif 000007
【図６】
0003177147.tif 000008